(57)【要約】      （修正有）【課題】踵がパカパカする問題や靴擦れの問題を緩和するパンプスを提供する。【解決手段】回り縁を有する本体１、この本体の下部に位置する靴底２、前記本体後部に設けられた踵下部３及び踵上部４を有するパンプスである。前記踵上部４の内側の回り縁に沿って滑り止めテープ５を固定している。前記滑り止めテープ５が、ほぼ全幅にわたって均一に比較的に強い摩擦抵抗を有するものであり、本体回り縁の後ろ側１／３〜１／２程度の長さを有し、幅は５〜２０ｍｍであることが好ましい。【選択図】図２
0003167973.tif 000002
【実用新案登録請求の範囲】
【請求項１】
回り縁（６）を有する本体（１）、この本体の下部に位置する靴底（２）、前記本体後部に設けられた踵下部（３）及び踵上部（４）を有するパンプスにおいて、前記踵上部（４）の内側の前記回り縁（６）に沿って滑り止めテープ（５）を固定していることを特徴とする、滑り止めを有するパンプス。
【請求項２】
前記滑り止めテープ（５）が、ほぼ全幅にわたって均一に比較的に強い摩擦抵抗を有するものである請求項１記載のパンプス。
【請求項３】
前記滑り止めテープ（５）が、前記本体回り縁（６）の後ろ側１／３〜１／２程度の長さを有し、幅は５〜２０ｍｍである請求項１又は２記載のパンプス。
【請求項４】
前記滑り止めテープ（５）が、経糸に６５〜７５％のポリウレタン、緯糸に２５〜３５％のナイロンを使用して織成したものである請求項１〜３のいずれかに記載のパンプス。
【請求項５】
前記滑り止めテープ（５）が、文字や模様のプリントを有する請求項１〜４のいずれかに記載のパンプス。
【考案の詳細な説明】
【技術分野】
【０００１】
本考案は、踵上部の内側に滑り止めを有するパンプスに関し、ハイヒールパンプス、ミドルヒールパンプス、フラットヒールパンプスすべてに適用可能である。本明細書において、「パンプス」は、回り縁（トップウェッジ）を有するが、足に固定するストラップや留め金具がない女性用の履物の総称として用いている。
【背景技術】
【０００２】
パンプス、特にハイヒールパンプスの場合、履くと踵がパカパカして歩きにくい、等の問題が以前から指摘されていた。また、着用中に足裏が靴のインソール上をつま先部分に向かって滑る事により、足先がつま先部分に偏りすぎてしまう。これにより、外反母趾やハンマートゥ、靴と踵の間に隙間ができることによっておこる靴擦れ等が発生する。また足趾にかかる負担が大きく歩くのがつらい、といった不具合がある。
【０００３】
これらの問題を解決するためにインソールに滑り止めを取り付ける考案が提案されている。たとえば、本出願人も特開２００５−１４３９３８でそのような滑り防止具を提案している。他にも、特開平５−３０９００３号、特開平８−２４００６号、特開平９−３７８０７号、実用新案登録第３００７７２０号などが公知である。
【０００４】
さらに、踵内側に滑り止めを設ける考案も、たとえば実公昭３６−２６２２７号、実用新案登録第３１３３６６９号などにより公知である。
【考案の概要】
【考案が解決しようとする課題】
【０００５】
本考案は後者の改良に関するものであり、特にパンプスにおいて上記問題を解決することを目的とするものである。
【課題を解決するための手段】
【０００６】
本考案は、回り縁を有する本体、この本体の下部に位置する靴底、本体後部に設けられた踵下部及び踵上部を有するパンプスにおいて、前記踵上部の内側の回り縁に沿って滑り止めテープを固定していることを特徴とするものである（請求項１）。
【０００７】
好ましくは、前記滑り止めテープは、ほぼ全幅にわたって均一に比較的に強い摩擦抵抗を有するものである（請求項２）。ここで「均一に比較的に強い摩擦抵抗」という用語は、従来技術において、１本又は２本、筋状に摩擦抵抗の強い樹脂を塗布したり、織り込んだりしたものとの比較において使用している。
【０００８】
好ましくは、前記滑り止めテープは、本体回り縁の後ろ側１／３〜１／２程度の長さを有し、幅は５〜２０ｍｍとすることが好ましい（請求項３）。
【０００９】
好ましくは、前記滑り止めテープは、経糸に６５〜７５％のポリウレタン、緯糸に２５〜３５％のナイロンを使用して織成したものである（請求項４）。
【００１０】
好ましくは、前記滑り止めテープは、文字や模様のプリントを有するものである（請求項５）。
【考案の効果】
【００１１】
本考案請求項１によれば、踵上部４の内側の回り縁に沿って滑り止めテープ５を固定しているので、踵がパカパカする問題や外反母趾、ハンマートゥ、靴擦れの問題が大幅に緩和された。
【００１２】
本考案請求項２によれば、滑り止めテープ５は、従来技術と異なり、ほぼ全幅にわたって均一に比較的に強い摩擦抵抗を有するので、着用したときの違和感が少ない。
【００１３】
本考案請求項３及び４の条件に従えば、特に好ましい滑り止め性能を有するテープが得られる。
【００１４】
本考案請求項５によれば、文字や模様を製造者表示、商標、広告として使用することができる。
【００１５】
以下、添付の図面に基づき、本考案の実施例を説明する。
【図面の簡単な説明】
【００１６】
【図１】本考案の１実施例に係る滑り止めを装着したハイヒールパンプスの斜視図である。
【図２】図１の矢で示した部分の断面図である。
【考案を実施するための形態】
【００１７】
図１に示すように、このハイヒールパンプスは、本体１、靴底２、踵下部３、踵上部４を有する。本体底部はインソール７を有する。
【００１８】
本考案が従来技術と異なるのは、踵上部４の内側の回り縁６に沿って滑り止めテープ５を固定していることである。
【００１９】
滑り止めテープ５の固定方法は、使用者がパンプスを購入後に自分で取り付けることも不可能ではないが、パンプスの製造工場において縫い糸により確実に取り付けることが好ましい。
【００２０】
この滑り止めテープ５は、本体回り縁６の後ろ側１／３〜１／２程度の長さを有し、幅は５〜２０ｍｍ程度であることが好ましい。
【００２１】
考案者がさまざまな実験を繰り返し行った結果、現段階で最も好ましい滑り止めテープ５は、経糸に６５〜７５％のポリウレタン、緯糸に２５〜３５％のナイロンを使用して織成したもので、たとえば「１４２０ファイングリップ（商標）」（井上リボン工業株式会社）として知られるテープである。同社が行った摩擦抵抗試験の結果は次のとおりである。
【００２２】
試験方法
（１）テープに試験試料を貼り付け、幅15mm、長さ300mmにカットする。本考案で使用する織物テープは、経糸に７０．５％のポリウレタン、緯糸に２９．５％のナイロンを使用して織成したものである。
（２）バネ秤を用意し、バネ秤を吊り下げるループ状の方に試験試料をつなぐ。
（３）4kgの錘を試験試料の端に乗せ、バネ秤を水平に一定の力で引っ張り、テープが1cm動いた時点で秤の表示を読みとる。
【表１】
0003167973.tif 000003
【００２３】
本件織物テープの特徴の一つはテープ幅のほぼ全幅にわたって摩擦抵抗を有することであり、従来技術において１〜２ｍｍ程度の滑り止め樹脂を塗布したり、織り込んだりしたものとは全く異なる。また、本件織物テープは通気性も有する。
【００２４】
図示しないが、このテープには製造者表示、商標、広告、その他をプリント表示することもできる。
【００２５】
このハイヒールパンプスによれば、履いたときの違和感が全くなく、かつ十分な摩擦抵抗を有しているので、踵がパカパカする問題や外反母趾、ハンマートゥ、靴擦れの問題が緩和された。
【符号の説明】
【００２６】
１     本体
２     靴底
３     踵下部
４     踵上部
４     踵上部
５     滑り止めテープ
６     回り縁
７     インソール
【先行技術文献】
【特許文献】
【００２７】
【特許文献１】特開２００５−１４３９３８
【特許文献２】特開平５−３０９００３号
【特許文献３】特開平８−２４００６号
【特許文献４】特開平９−３７８０７号
【特許文献５】実用新案登録第３００７７２０号
【特許文献６】実公昭３６−２６２２７号
【特許文献７】実用新案登録第３１３３６６９号
【図１】
0003167973.tif 000004
【図２】
0003167973.tif 000005